(57)【特許請求の範囲】
【請求項１】
給水時と非給水時とで、位置が変わる給水対象物への給水機構であって、給水対象物に給水を行う給水供給部は、非給水時には前記給水対象物の位置が変わる方向に対して直交する方向に給水対象物から離間する給水ポートを有してなり、該給水ポート若しくはその近傍が、給水時には給水圧により前記給水対象物の位置が変わる方向に対して直交する方向から給水対象物に水密状に押圧されることを特徴とする給水機構。
【請求項２】
前記給水供給部が、ゴム等の弾性体からなるダイヤフラム構造を有し、該ダイヤフラム構造が受ける給水圧の有無に応じて前記給水供給部が伸縮することを特徴とする請求項１記載の給水機構。
【請求項３】
進退自在な洗浄ノズルと、該洗浄ノズルへの側方に開設した給水孔に洗浄水を供給する給水機構を備えた局部洗浄装置において、前記給水機構は、前記洗浄ノズルの給水孔に接続可能な給水ポートを備え、該給水ポートは、前記洗浄ノズルの側面に相対して設けられて給水圧により伸縮する伸縮部材の先端に形成され、前記給水ポート若しくはその近傍が給水時に洗浄ノズルの側面に水密状に接触することを特徴とする局部洗浄装置。
【請求項４】
前記伸縮部材が、ゴム等の弾性素材からなるダイヤフラム構造を有し、該ダイヤフラム構造が受ける給水圧の有無に応じて前記伸縮部材が伸縮することを特徴とする請求項３記載の局部洗浄装置。
【請求項５】
前記洗浄ノズルの進退動作を、局部洗浄装置に給水される給水圧により行い、その給水が、前記給水機構の給水ポートに連通してなることを特徴とする請求項３又は４に記載の局部洗浄装置。
【請求項６】
前記給水ポートの上流側に、給水ポートの口面積よりも大きな口面積を有する給水ポート入口部を形成したことを特徴とする請求項３記載の局部洗浄装置。
【発明の詳細な説明】
【０００１】
【発明の属する技術分野】
本発明は、特に給水時と非給水時とで位置が異なる給水対象物に対して給水するのに適する給水機構に関し、また、この給水機構を洗浄ノズルへの給水機構としてなるトイレ用の局部洗浄装置に関するものである。
【０００２】
【従来の技術】
従来の給水機構を、局部洗浄装置の洗浄ノズルへの給水に用いられた構造を例として、説明する。
局部洗浄装置の洗浄ノズルは、本体ケーシングの内外に進退される構造となっている。この洗浄ノズルに対する給水構造は、例えば特公平１−５２５３２号に示されるように、洗浄ノズルを構成する筒体の側面にそれぞれ異なる噴出孔に連通する流入口を複数形成しておき、洗浄ノズルがモータ駆動により所定の位置に進んだときに、洗浄ノズルの側面に相対する給水連絡路と所定の流入口との位置が合い、給水連絡路から洗浄ノズルに給水されるという構成が知られている。
【０００３】
【発明が解決しようとする課題】
ところが、前記したような給水機構では、給水連絡路から洗浄ノズルへの給水の漏れを防ぐために、給水連絡路の前後を挟むようにしてパッキンが設けられる。パッキンは洗浄ノズルの側面と密着するため、洗浄ノズルの進退動作の際にパッキンにより異音が発生したり、パッキンによる摺動抵抗が働くためにより洗浄ノズルの進退動作のために大きな力を必要とされていた。
本発明は、このような問題点を解決するために、給水対象物に対して給水時には接触し、非給水時には離れる給水供給部を提供することを目的とし、さらにはそのような給水供給部を洗浄ノズルへの給水機構として有する局部洗浄装置を提供することを目的とする。
【０００４】
【課題を解決するための手段及び作用・効果】
本発明は、給水時と非給水時とで、位置が変わる給水対象物への給水機構であって、給水対象物に給水を行う給水供給部は、非給水時には前記給水対象物の位置が変わる方向に対して直交する方向に給水対象物から離間する給水ポートを有してなり、その給水ポート若しくはその近傍が、給水時には給水圧により前記給水対象物の位置が変わる方向に対して直交する方向から給水対象物に水密状に押圧されることを特徴とするものである。
この発明によれば、給水供給部は、給水時には給水対象物に水密状に接触して給水ポートから給水を行うので、給水ポートからの水漏れを防ぐことができる。一方、非給水時には給水供給部と給水対象物とは離間しているので、給水対象物の位置の変化の際には給水供給部とは非接触となり位置変化に大きな力を必要としない。
後述する発明の実施の形態では、給水対象物として、長手方向に進退する局部洗浄装置の洗浄ノズルを例に挙げているが、給水対象物の位置の変化は進退動作に限定されるものではなく、筒体の回転動作や平面の水平移動動作においても本発明を適用できるものである。
【０００６】
なお、給水供給部が、ゴム等の弾性体からなるダイヤフラム構造を有し、そのダイヤフラム構造が受ける給水圧の有無に応じて前記給水供給部が伸縮するようにすることで、簡単な構造で本発明を実施することができる。
【０００７】
さらにまた、本発明は、供給される流体の圧力によって、給水対象物に対して接離自在とされた給水ポートを有する給水供給部を備えたことを特徴とするものである。
【０００８】
また、本発明は、進退自在な洗浄ノズルと、その洗浄ノズルへの側方に開設した給水孔に洗浄水を供給する給水機構を備えた局部洗浄装置において、給水機構は、前記洗浄ノズルの給水孔に接続可能な給水ポートを備え、その給水ポートは、前記洗浄ノズルの側面に相対して設けられて給水圧により伸縮する伸縮部材の先端に形成され、給水ポート若しくはその近傍が給水時に洗浄ノズルの側面に水密状に接触することを特徴とするものである。
この発明によれば、進退自在な洗浄ノズルへの給水機構として、給水圧により伸縮する部材を用い、給水時にのみ給水ポートが洗浄ノズルに水密状に接触するので、給水ポートからの水漏れを防ぐことができる。
【０００９】
なお、伸縮部材として、ゴム等の弾性素材からなるダイヤフラム構造を有し、該ダイヤフラム構造が受ける給水圧の有無に応じて前記伸縮部材が伸縮すると、より簡単な構造により本発明を実施することができる。
【００１０】
また、前記洗浄ノズルの進退動作を、局部洗浄装置に給水される給水圧により行い、その給水が、前記給水機構の給水ポートに連通するようにすれば、一つの給水動作により洗浄ノズルの進出動作と洗浄ノズルへの給水動作を兼ねることができるので、局部洗浄装置の操作を簡単に行うことができる。
【００１１】
また、前記給水ポートの上流側に、給水ポートの口面積よりも大きな口面積を有する給水ポート入口部を形成するのが、好適である。
【００１２】
なお、本発明の給水機構は、局部洗浄装置に限定的に使用されるものではなく、民生品をはじめとした種々の装置における給水装置として使用が可能である。
【００１３】
【発明の実施の形態】
以下、本発明の実施形態を、図面を用いて詳細に説明する。
図１は本発明の第１実施形態である局部洗浄装置１の外観斜視図である。図において、局部洗浄装置１は、内部にノズル装置等の機器を収納する装置本体１０、便座１１、便蓋１２からなり、装置本体１０には給水導管１３、給湯導管１４が接続される。また装置本体１０側方には前方に張り出す操作部２０を設ける。
【００１４】
図２は内部機器の収納状態を示すために装置本体１０の上ケース１０ａを取り除いた状態での斜視図、図３は図２から操作部及びコントローラを取り外した状態での斜視図、図４は図２からケースプレートを消去した状態での底側から見た斜視図、図５は図４とは別角度から見たケースプレートを消去した状態での部分斜視図、図６は図３からミキシングユニット及びバルブユニットを取り外した状態での斜視図である。
図において、下ケース１０ｂには、使用者により操作され洗浄水の供給停止を指示するための洗浄開始スイッチ２１ａ及び洗浄停止スイッチ２２ａを備えた操作スイッチ基板２３、使用者により操作されおしり／ビデの選択及び洗浄水の流量を調整する流路切換兼流量調整摘み２５、給水導管１３及び給湯導管１４から供給される水と湯を混合し適温にするミキシングバルブユニット３０、ノズル装置へ洗浄水を供給するための洗浄水供給用バルブユニット４０、ミキシングバルブユニット３０により混合される混合湯温を安定させるための捨湯用バルブユニット４５、使用者へ洗浄水を供給するノズル装置５０、使用者への洗浄水量を調整する流量調整弁７０、局部洗浄装置１の電源である乾電池８０、局部洗浄装置１を制御するコントローラ８５、便座への使用者の体重でオンする着座スイッチ９０を直接若しくは間接的に固定する。なお着座スイッチ９０の機構は特開平１１−１５５７６８号公報に詳述しているものと同一であるので説明は省略する。
【００１５】
ミキシングバルブユニット３０は、下ケース１０ｂに取付けられる外郭を形成するミキシングバルブ本体３１と、本体３１内に縦方向に収納される弁機能部３２とで構成する。なお、弁機能部３２はカートリッジ式なので、ゴミ噛みや作動不良等の故障時には弁機能部３２を本体３１から取り出してメンテすれば良い。本体３１には水導入口３１ａ、湯導入口３１ｂを形成し、夫々水用取付エルボ３３、湯用取付エルボ３４に袋ナットで連結する。また、水用取付エルボ３３、湯用取付エルボ３４の他端は、夫々給水導管１３及び給湯導管１４に接続する。本体３１には弁機能部３２により混合された湯を出湯する供給用出湯口３１ｃ、捨湯用出湯口３１ｄを形成し、夫々の出湯口内に洗浄水供給用バルブユニット４０及び捨湯用バルブユニット４５の一端を夫々嵌挿連結する。
【００１６】
洗浄水供給用バルブユニット４０は、所定圧以上の供給圧の際に動作して減圧し電磁弁４２の動作を確実にするための減圧弁４１、ノズル装置５０への洗浄水供給を制御する洗浄用電磁弁４２、洗浄水供給停止時に配管内を空気に置換し逆流を防止するための供給用バキュームブレーカー４３にて構成する。なお、ノズル装置５０の洗浄水供給口５５ａよりも高い位置にバキュームブレーカー４３を配置するため、電磁弁４２の２次側とバキュームブレーカー４３とを連絡する連絡管４０ａを長く形成する。このように洗浄水供給口５５ａよりも高い位置にバキュームブレーカー４３を配置することでノズル装置５０内へ早急且つ確実に空気を導入することができ、洗浄ノズル５３の復帰動作を速やかに行うことが可能となる。なお、バキュームブレーカー４３の空気取入口４３ａはチューブ４３ｂにより下ケース１０ｂに形成される排出用トイ１０ｃに連絡され、バキュームブレーカー４３よりオーバーフローする水を便器内へ排出する。
【００１７】
捨湯用バルブユニット４５は、便器へ直接排出するための湯を制御する捨湯用電磁弁４６、捨湯停止時に配管内を空気に置換し逆流を防止する捨湯用バキュームブレーカー４７、捨湯をノズル装置５０側へ供給する供給口４８ａと便器内へ直接排出する排出口４８ｂとに分岐する分岐管４８にて構成する。なお、バキュームブレーカー４７の空気取入口４７ａはチューブ４７ｂにより下ケース１０ｂに形成される排出孔１０ｄに連絡され、バキュームブレーカー４７よりオーバーフローする水を便器内へ排出する。またバキュームブレーカー４７と分岐管４８とをチューブ４７ｃとで連結し、供給口４８ａとノズル装置５０とをチューブ４９ａ、排出口４８ｂと下ケースに固定される排出エルボ１０ｅとをチューブ４９ｂにて連結する。
【００１８】
図７は本発明のノズル装置５０の外観斜視図、図８はノズル装置５０の分解斜視図、図９は操作用シリンダ５１の斜視図、図１０は操作用シリンダ５１の断面図、図１１は操作用シリンダ５１の側面図、図１２はピストン５２の斜視図、図１３は洗浄ノズル５３の分解斜視図、図１４はノズル本体５３ａの斜視図である。
ノズル装置５０は、操作用シリンダ５１と、この操作用シリンダ５１内に進退自在に嵌挿され、洗浄水の水圧によって作動されるピストン５２と、肛門洗浄時に肛門位置に移動し、ビデ洗浄時にはビデ洗浄位置に移動する洗浄ノズル５３、洗浄ノズル５３を元の位置に復帰するための復帰ばね５４、操作用シリンダ５１後端に取付けられシリンダを形成するシリンダ閉塞用蓋５５を備え、前記バキュームブレーカー４３、分岐管４８及び切換弁兼流量調整弁７０に接続されている。
【００１９】
前記操作用シリンダ５１は、前後端が開口した内径が異なる樹脂製の異径管からなり、前半部が小径の前方シリンダ５１Ａを構成し、後半部が大径部の後方シリンダ５１Ｂを構成している。このため、操作シリンダ５１の内周面前方シリンダ５１Ａと後方シリンダ５１Ｂの接続部には、前記ピストン５２の前進動を規制する段部５１ｃが設けられている。また、前方シリンダ５１Ａの中間部には更に小径部５１ｄが形成されており、この小径部５１ｄの後端面が前記洗浄ノズル５３の前進動を制限する係止部として機能し、前端側にばね受部５１ｅが一体に設けられている。このばね受部５１ｅは、前記復帰用ばね５４の前端を受け止めると共に、前記洗浄ノズル５３を摺動自在に支持し案内するもので、内径が前記小径部５１ｄより小さく、前記洗浄ノズル５３の外径より大きい突起５１ｆ、５１ｇを左右対称に形成する。突起５１ｆは洗浄ノズル５３の側面を、突起５１ｇは洗浄ノズル５３の上下面を支えるために設けており、接触面積を減らし摺動抵抗を小さくすることで洗浄ノズル５３伸出に必要な力を小さくすることができる。
【００２０】
シリンダ閉塞用蓋５５の上方には洗浄水供給口５５ａを形成し、前記洗浄水供給用チューブ４４が接続される。
【００２１】
また、後方シリンダ５１Ｂの左側面に洗浄水流出口５１ｈ、前方シリンダ５１Ａの小径部５１ｄより後方左側面にビデ進出用流入口５１ｉ及びビデ洗浄水流出口５１ｊ、前方シリンダ５１Ａの小径部５１ｄより前方のノズル洗浄室５１ｍ左側面には洗浄水流入口５１ｋが設けられる。なお、洗浄水流入口５１ｋ内にシールパッキン６０のダイヤフラム６１を突出させ、水圧がかかっている時のみ洗浄ノズル５３と水密状態で接するようにしている。即ち、ダイヤフラム６１に圧がかかるよりも前にノズル５３の進出が完了しているので、洗浄ノズル５３進出時にこのダイヤフラム６１部分が抵抗となることが無く、洗浄水供給時には効果がある。
【００２２】
さらに前記操作用シリンダ５１のノズル洗浄室５１ｍ上面には、ノズル洗浄導管５６を嵌挿するための嵌挿部５１ｌを形成する。また、操作用シリンダ５１の外周面左側方には、前記洗浄水流出口５１ｈ、ビデ進出用流入口５１ｉ、ビデ洗浄水流出口５１ｊ、洗浄水流入口５１ｋを取り囲むようにパッキン収納壁５１ｎを形成する。収納壁５１ｎで囲まれた側壁内は平面形状に形成し、洗浄水流出口５１ｈ及びビデ進出用流入口５１ｉを形成する外側壁面は同一平面５１ｐとし、ビデ洗浄水流出口５１ｊ及び洗浄水流入口５１ｋを形成する外側壁面は前記平面５１ｐよりも低い同一平面５１ｑとする。平面５１ｑのビデ洗浄水流出口５１ｊと洗浄水流入口５１ｋとの間には連通路５１ｒを形成する。また、連通路５１ｒ内にはパッキン変形防止用突起５１ｓを設ける。パッキン収納壁５１ｎ内を平面状としたのはシールパッキン６０の形状を簡単にすると共にシールパッキン６０を挟み込む面圧を略等しくしてシール性を向上させるためであり、平面５１ｐと平面５１ｑとで段差を設けたのは前方シリンダ５１Ａと後方シリンダ５１Ｂの径差のために生じるシリンダ肉厚を略等しくするためである。操作用シリンダ５１の下部には下方延出部５１ｔを形成し、延出部５１ｔにはノズル装置５０取付板５７との連結孔５１ｕ、５１ｖを設ける。
【００２３】
ピストン５２は合成樹脂製で、円板上の受圧板５２Ａと、この受圧板５２Ａの受圧面（背面）側に一体に突設された６枚の羽５２ｄにより構成する円筒部５２Ｂとを備え、受圧板５２Ａの中央前面には洗浄ノズル５３の後端部と当接する当接凹部５２ｃが略円錐状に設けられる。円筒部５２Ｂはピストン５２が後方シリンダ５１Ｂ内を安定動作するために設けられる。
【００２４】
洗浄ノズル５３は、剛性樹脂によって前記ばね受部５１ｅの内径よりわずかに小さい外径を有する細長い筒状に形成され、筒状のノズル本体５３ａ、ノズル本体５３ａの後端開口に圧入し開口を閉塞する後端閉塞体５３ｂ、ノズル本体５３ａとノズルヘッド５３ｃとを連結するための連結体５３ｄ、ノズルヘッド５３ｃに取付けられるビデ噴出口形成体５３ｅにて構成する。
【００２５】
洗浄ノズル５３は内部に肛門洗浄用通路５３ｆとビデ洗浄用通路５３ｇが形成されている。（ノズル本体５３ａの通路５３ｆ１、連結体５３ｄの５３ｆ２、ノズルヘッド５３ｃの肛門用通路（図示無）で５３ｆ、ノズル本体５３ａの通路５３ｇ１、連結体５３ｄの５３ｇ２、ノズルヘッド５３ｃのビデ用通路（図示無）で５３ｇを形成）肛門洗浄用通路５３ｆの前方側開口部は、ノズル５３の前端側上面に開口することによりおしり噴出口５３ｈを形成している。ビデ洗浄用通路５３ｇの前方側開口部５３ｉには、ビデ噴出口５３ｊを形成したビデ噴出口形成体５３ｅを取付け、ビデ噴出口５３ｊを形成する。なお、ノズル５３左側面にはピストン５２が最大ストローク前進してノズル５３をお尻洗浄位置に停止した時前記洗浄水流入口５１ｋと一致し連通する位置に形成されるお尻洗浄水連絡口５３ｋと、ノズル５３が最大ストローク前進してノズル５３をビデ洗浄位置に停止した時前記洗浄水流入口５１ｋと一致し連通する位置に形成されるビデ洗浄水連絡口５３ｌとを有する。また、前記ノズル５３の外周面には、互いに平行な２つの平坦部５３ｍが形成されており、この平坦部５３ｍと前記ばね受部５１ｅとの隙間（突起５１ｆ、５１ｇ間の隙間）が水抜き用の隙間を形成する。
【００２６】
前記後端閉塞体５３ｂには、受圧板を形成するフランジ５３ｎとピン５３ｐが夫々一体に突設されている。フランジ５３ｎは、前記ノズル５３の後端面中央に一体に突設され、前記ピストン５２の当接凹部５２ｃに当接し、ピストン５２とノズル５３を離間させている。これは、ビデ洗浄時にビデ進出用流入口５１ｉから前方シリンダ５１Ａ内に流入する洗浄水の圧力をフランジ５３ｎの受圧面（背面）側に供給するためである。
【００２７】
前記ノズル５３を復帰方向に付勢する前記復帰用ばね５４は圧縮コイルばねからなり、前記ばね受部５１ｅとフランジ５３ｎとの間に弾装されている。
【００２８】
図１５は本発明のシールパッキン６０の（ａ）平面図、（ｂ）側面図、（ｃ）底面図、（ｄ）は（ａ）の中央横断面図であり、図１６はシールパッキン６０の斜視図である。シールパッキン６０はパッキン収納壁５１ｎで囲まれる形状と略同一形状に形成し、ダイヤフラム６１、方向転換用開口６２、流量調整出口６３、ビデ洗浄水流出口６４、ビデ進出用流入口６５、洗浄水流出口６６を形成する。ダイヤフラム６１は内部を流体流路６１ｅとする断面略コ字状に突出形成し、先端には洗浄ポートとなる洗浄水噴出口６１ａを、流入口６１ａと同心円状に環状シール部６１ｂを、更にその外周に弾性変形部６１ｃを、その背側に圧力室６１ｄを設ける。圧力室６１ｄと方向転換用開口６２とを連絡する連絡流路６２ａを、方向転換用開口６２と流量調整出口６３とを連絡する連絡流路６２ｂとを表裏に形成する。出口６３周囲にはリップ６３ａを、ビデ洗浄水流出口６４にはリップ６４ａを、ビデ進出用流入口６５にはリップ６５ａを夫々形成する。また、ビデ洗浄水流出口６４とビデ進出用流入口６５の間にはバイパス路６７を設ける。なお、各開口周囲にはシール部６０ａ、６０ｂ、６０ｃ、６０ｅを設け、ノズル装置５０若しくは切換弁兼流量調整弁７０の側壁面とで挟圧し各開口間及びシールパッキン６０周囲を水密に維持する。
【００２９】
図１７は、ダイヤフラム６１と洗浄ノズル５３の接続状態を示す図であり、（ａ）は給水時、（ｂ）は非給水時の状態を示している。
このダイヤフラム６１が給水対象物である洗浄ノズル５３への給水供給部となる。給水時には、ダイヤフラム６１に水圧がかかるので、弾性変形部６１ｃが変形して、ダイヤフラム長が伸びて洗浄ノズル５３の側面にダイヤフラム６１の先端である洗浄水噴出口（洗浄ポート）６１ａが水密状に接触する。すなわち、ダイヤフラムの上流端部である洗浄水噴出口入口部６１ｆの口面積よりダイヤフラムの出口部となる洗浄水噴出口６１ａの口面積の方が小さいので、ダイヤフラムの内部で給水圧を受けてダイヤフラムの弾性変形部６１ｃが変形するのである。そして、非給水時には、ダイヤフラム６１には水圧がかからないので、弾性変形部６１ｃは変形前の状態であるダイヤフラム長が短くなり洗浄ノズル５３の側面からダイヤフラム６１が離れる。すなわち、ダイヤフラム６１が給水圧によって伸縮する伸縮部材となって、給水対象物である洗浄ノズル５３との接離を図るのである。このため、水圧により進退を行う洗浄ノズルであっても、進退動作がスムーズに行えるのである。なお、この実施形態においては給水孔５３ｋよりも洗浄水噴出口６１ａの孔径の方が小さいため、洗浄水噴出口６１ａ自体が洗浄ノズル５３に水密状に接触せずに、洗浄水噴出口６１ａの近傍部位が接触しているが、洗浄水噴出口６１ａ自体が洗浄ノズル５３に水密状に接触するようにしてもよい。
【００３０】
図１８は本発明の切換弁兼流量調整弁７０の外観斜視図、図１９は切換弁兼流量調整弁７０の分解斜視図、図２０は切換弁兼流量調整弁７０の概略断面図、図２１は（ａ）切換弁兼流量調整弁７０の側面図、（ｂ）弁体７５のお尻洗浄時に外筒体７１の各孔と整合する溝側からみた側面図、（ｃ）弁体７５のビデ洗浄時に外筒体７１の各孔と整合する溝側からみた側面図である。
切換弁兼流量調整弁７０は、外筒体７１、弁体７５、歯車ボックス７６、駆動力伝達歯車７７とで構成する。外筒体７１は中空の略円筒状に形成し、一端には弁体７５を挿入する挿入開口７２を設け、他端には弁体７５を回動自在に支持する軸受け部７３を設ける。また、外筒体７１の右側面はノズル装置５０のパッキン収納壁５１ｎで囲まれる形状と略同一形状に形成し、操作用シリンダ５１に設けた洗浄水流出口５１ｈ、ビデ進出用流入口５１ｉ、ビデ洗浄水流出口５１ｊ、洗浄水流入口５１ｋを夫々整合する洗浄水流入孔７１ａ、ビデ進出用流出孔７１ｂ、ビデ洗浄水流入孔７１ｃ、洗浄水流出孔７１ｄを設ける。また、ビデ進出用流出孔７１ｂとビデ洗浄水流入孔７１ｃとの間にはバイパス用流出口７１ｅ及びバイパス用流入口７１ｆ、左側前端には余剰水排出口７１ｇ、洗浄水流出孔７１ｄより前方には方向転換室７１ｈを設け、その方向転換室７１ｈ内にパッキン押え用突起７１ｉを形成する。バイパス流出口７１ｅとバイパス流入口７１ｆとはシールパッキン６０に形成されたバイパス通路６７にて連結される。外筒体７１の右側周面にはノズル装置５０への取付部７１ｊを５個所設ける。
【００３１】
弁体７５は略円筒状で終端に隔壁７５ｈを有する前方弁部７５Ａ、後方弁部７５Ｂの２部材よりなり、一半周面をお尻用、他半周面をビデ用として利用する。また、後方弁部７５Ｂの終端に操作軸７５ｉを形成し、後方弁部７５Ｂの側周壁には洗浄水流入孔７１ａ、ビデ進出用流出孔７１ｂに夫々整合する箇所に洗浄水流入溝７５ａ、ビデ進出用流出溝７５ｂを形成する。また、洗浄水流入溝７５ａよりも後方外周にＹパッキン収納溝を形成し、弁体７５を開口７２から外筒体７１内に挿入する際、Ｙパッキン７５ｍを嵌め込むことにより、挿入開口７２と弁体７５とのシールを行う。
【００３２】
前方弁部７５Ａの側周壁にはバイパス流出口７１ｅ、バイパス流入口７１ｆ、ビデ洗浄水流入孔７１ｃ、洗浄水流出孔７１ｄ、余剰水排出口７１ｇに夫々整合する箇所にバイパス用流出溝７５ｅ、バイパス用流入溝７５ｆ、ビデ洗浄水流入溝７５ｃ、流量調整溝７５ｄ、余剰水排出溝７５ｇを形成する。なお、バイパス用流出溝７５ｅとバイパス用流入溝７５ｆ間には隔壁７５ｈを設け弁体７５内部での連通を遮断する。流量調整溝７５ｄは略三角形状として流路抵抗が変化するよう形成する。また、余剰水排出溝７５ｇ及び流量調整溝７５ｄはおしり用、ビデ用と全周を２分割して設ける。更に、前方弁部の始端に回動軸７５ｊを設けた。また、一端側外周のバイパス用流出溝７５ｅとバイパス用流入溝７５ｆ間にＹパッキン装着溝（図示なし）を形成しＹパッキンを嵌め込むことにより、バイパス用流出溝７５ｅとバイパス用流入溝７５ｆ間が弁内で連通しないようにする。ビデ進出用流出溝７５ｂ及びビデ洗浄水流入溝７５ｃは弁体７５の円周上の半周内に形成し、バイパス流出溝７５ｅ及びバイパス流入溝７５ｆはビデ進出用流出溝７５ｂ及びビデ洗浄水流入溝７５ｃとは半周ずらして設ける。
【００３３】
歯車ボックス７６には、操作軸７５ｉを挿通する挿通孔７６ａ、Ｙパッキン７５ｍからの漏水を便器内に排出するための排出ガイド７６ｂ及び排出トイ７６ｃ、後述する操作力伝達ワイヤ２７を挿通する挿通孔７６ｄ、操作力伝達ワイヤ２７の曲がりを規制する規制ガイド７６ｅ、操作力伝達ワイヤ２７の一端に固定される操作力伝達歯車２６の回転を規制するストッパ７６ｆ、操作力伝達歯車２６の特定位置を検出するマイクロスイッチ２８を保持するための保持爪７６ｇを設ける。
【００３４】
図２２は流路切換兼流量調整摘み２５から切換弁兼流量調整弁７０への動力伝達を説明するための斜視図、図２３は流路切換兼流量調整摘み２５の取付を説明するための斜視図、図２４は操作部２０の外観図を示す。
操作部２０には洗浄開始スイッチ操作部２１、洗浄停止スイッチ操作部２２及び流路切換兼流量調整摘み２５とが設けられ、洗浄開始スイッチ操作部２１及び洗浄停止スイッチ操作部２２は操作スイッチ基板２３に設けられ、この操作スイッチ基板２３はコントローラ８５に電気的に接続し、流路切換兼流量調整摘み２５は操作力伝達ワイヤ２７によって機械的に操作力伝達歯車２６に連結されている。この操作力伝達歯車２６と駆動力伝達歯車７７とが噛み合うことで流路切換兼流量調整摘み２５の回転は操作軸７５ｉに伝達され弁体７５を回転操作することが可能となる。なお、この流路切換兼流量調整摘み２５は、操作力伝達歯車２６のおしり最大流量位置とビデ最大流量位置との間に相当する位置に設けた回転規制突起２６ａとストッパ７６ｆとにより、おしり最大流量位置とビデ最大流量位置との間で回転規制されるので、おしり最大流量から突然ビデ最大流量に変更されることが無い。また、操作力伝達歯車２６のおしり最小流量位置とビデ最小流量位置との間の止水位置を検出するために設けた突起２６ｂでマイクロスイッチ２８の杆２８ａを押し下げるよう構成する。
【００３５】
コントローラ８５は、制御基板を収納しポッティング処理するポッティング部８５ａとポッティング部８５ａ側周面から前方に連続形成されるワイヤ固定部８５ｂとからなり、ワイヤ固定部８５ｂには操作力伝達ワイヤ２７挿通用切欠８５ｃを設け、操作力伝達ワイヤ２７の曲がりを規制するために中央に挿通ガイド２９ａを有する規制部材２９をワイヤ固定部８５ｂに固定する。操作力伝達ワイヤ２７の先端は断面Ｄ字形状としており、上ケース１０ａに設けた挿通孔（図示無）から操作力伝達ワイヤ２７の先端の突出させ、その先端部に摘み２５を嵌め込む。なお、ポッティング部８５ａの外輪壁の最低部にミシン目切込み８５ｄを入れ、ポッティング処理後、この切込み部分８５ｄを取り除くことで、ポッティング部８５ａ内に侵入堆積する水をコントローラ８５外に排出することができ、長期に亘るポッティング部分侵食による誤動作を確実に防止することができる。
【００３６】
次に、このような構造からなる洗浄ノズル５３による洗浄動作について説明する。
図２５に非洗浄時のノズル装置５０の状態を示すが、この状態において、洗浄ノズル５３は復帰用ばね５４によって初期位置に保持されることによりピストン５２を後方シリンダ５１Ｂ内面に押し付けている。この時、電磁弁４２は閉じている。
使用者が用便後に装置本体１の袖部に設けられる流路切換兼流量調整摘み２５がおしり位置（流量最大）にある状態（図２０（ａ））で、洗浄開始スイッチ操作部２１を操作すると、コントローラ８５の指令により電磁弁４２が開く、電磁弁４２が開くと、洗浄水はチューブ４４から洗浄水供給口５５ａを介して後方シリンダ５１Ｂ内に供給され、その水圧でピストン５２を押圧する。したがって、ピストン５２とノズル５３は復帰用ばね５４に抗して一体的に前進し、ノズル５３の前端部が操作用シリンダ５１の前端開口５１ｗから突出する。ピストン５２は最大ストローク前進すると、受圧板５２Ａの周囲部が段部５１ｃに当接して停止する。（図２６に示す位置）ピストン５２が前進して停止すると、後方シリンダ５１Ｂ内に流入した洗浄水は洗浄水流出口５１ｈ→洗浄水流出口６６→洗浄水流入孔７１ａ→洗浄水流入溝７５ａを介して後方弁部７５Ｂ内に流入し、バイパス流出溝７５ｅ→バイパス用流出口７１ｅ→バイパス通路６７→バイパス用流入口７１ｆ→バイパス用流入溝７５ｆを介して前方弁部７５Ａ内に流入し、流量調整溝７５ｄ→洗浄水流出孔７１ｄ→流量調整出口６３→連絡流路６２ｂ→方向転換用開口６２→連絡流路６２ａを介してダイヤフラム６１の圧力室６１ｄに至り、弾性変形部６１ｃがダイヤフラム長が伸びるように変形して洗浄ノズル５３の側面にダイヤフラム６１が密着し、ダイヤフラム６１先端に設けた洗浄水噴出口６１ａからお尻洗浄水連絡口５３ｋ→肛門洗浄用通路５３ｆ→おしり噴出口５３ｈに洗浄水が供給され、おしり噴出口５３ｈから上方に向けて洗浄水を噴出し肛門洗浄を所望の時間行う。
【００３７】
肛門洗浄後、洗浄停止スイッチ操作部２２を操作すると、コントローラ８５からの指令により電磁弁４２が閉じ、電磁弁４６が開く。電磁弁４２が閉じると、洗浄ノズル５３への洗浄水の供給が停止するため、洗浄水の水圧が低下する。従って、バキュームブレーカー４３からシリンダ５１内に空気が供給され、速やかに平坦部５３ｍと前記ばね受部５１ｅとの隙間（突起５１ｆ、５１ｇ間の隙間）及びチューブ４７ｂからシリンダ５１内の残水が排出され、洗浄ノズル５３は復帰用ばね５４の弾撥力によって後退して初期位置に復帰し、ピストン５２を後部シリンダ５１Ｂの内面に押し付ける。もちろん、ダイヤフラム６１にかかっていた給水圧も低下するので、伸長していた弾性変形部６１ｃは元の形状に復帰し、ダイヤフラム長は短くなるように変形し、洗浄ノズル５３とダイヤフラム６１との密着が解除される。
一方、電磁弁４６が開くと、洗浄水はチューブ４９ａ、ノズル洗浄導管５６を通ってノズル洗浄室５１ｍに供給されることにより、ノズル５３の外周を洗浄する。そして、ノズル洗浄を所望の時間行うと、制御装置５０からの指令により電磁弁４６は閉じる。
【００３８】
使用者が流路切換兼流量調整摘み２５をビデ位置にした状態で、洗浄開始スイッチ操作部２１を操作すると、コントローラ８５の指令により電磁弁４２が開く。電磁弁４２が開くと、洗浄水はチューブ４４から洗浄水供給口５５ａを介して後方シリンダ５１Ｂ内に供給され、その水圧でピストン５２とノズル５３を復帰用ばね５４に抗して前進させる。このため、ノズル５３は操作用シリンダ５１の前端開口５１ｗから突出する。ピストン５２は最大ストローク前進すると受圧板５２Ａの周囲部が段部５１ｃに当接して停止する。ピストン５２が停止すると、ノズル５３はピストン５２によっては移動されなくなるが、後方シリンダ５１Ｂ内に供給された洗浄水が洗浄水流出口５１ｈ→洗浄水流出口６６→洗浄水流入孔７１ａ→洗浄水流入溝７５ａを介して後方弁部７５Ｂ内に流入し、ビデ進出用流出溝７５ｂ→ビデ進出用流出孔７１ｂ→ビデ進出用流出孔６５→ビデ進出用流入口５１ｉを介して前方シリンダ５１Ａ内に導かれその水圧でノズル５３のフランジ５３ｎを押圧するため図２７に示すようにさらに伸張してビデ洗浄位置に移動し、この位置で係止部５１ｅにフランジ５３ｎ周囲部が当接することにより停止する。このノズル５３の移動により、ビデ洗浄水流出口５１ｊ→ビデ洗浄水流出口６４→ビデ洗浄水流入孔７１ｃ→ビデ洗浄水流入溝７５ｃを介して前方弁部７５Ａ内に流入し、流量調整溝７５ｄ→洗浄水流出孔７１ｄ→流量調整出口６３→連絡流路６２ｂ→方向転換用開口６２→連絡流路６２ａを介してダイヤフラム６１の圧力室６１ｄに至り、洗浄ノズル５３の側面にダイヤフラム６１が密着し、ダイヤフラム６１先端に設けた洗浄水噴出口６１ａからビデ洗浄水連絡口５３ｌ→ビデ洗浄用通路５３ｇ→ビデ噴出口５３ｊに洗浄水が供給され、ビデ噴出口５３ｊから上方に向けて洗浄水を噴出し肛門洗浄を所望の時間行う。洗浄停止スイッチ操作部２２を操作すると、おしり洗浄の際と同様にノズル５３を洗浄後、初期状態に戻る。なお、流路切換兼流量調整摘み２５がお尻／ビデの中間位置にある状態で洗浄スイッチ操作部２１を操作しても、マイクロスイッチ２８により止状態が検出されているので、洗浄は行われない。この状態で洗浄停止スイッチ操作部２２を所定時間以上押し続けた場合には電磁弁４２を開き、ノズル５３の進出のみを行うことで、ノズル５３の拭き掃除を行いやすくすることができる。
【００３９】
次に、図２８により、本発明の別の実施形態（第２実施形態）につき説明する。なお、前述の実施形態と同一の機能には同一の符号を付ける。
図２８は、ノズル装置５０の側断面図である。図において、ノズル装置５０は操作用シリンダ５１、洗浄ノズル５３、復帰用ばね５４から構成される。操作用シリンダ５１は前後端が開口した内径が異なる樹脂製の異径管からなり、前半部が小径の前方シリンダ５１Ａを構成し、後半部が大径部の後方シリンダ５１Ｂを構成している。
このため、操作シリンダ５１の内周面前方シリンダ５１Ａと後方シリンダ５１Ｂの接続部には、前記ピストン５２の前進動を規制する段部５１ｃが設けられる。また、後端には洗浄水流入口５５aが設けられ、後方シリンダ５１Ｂの前方側壁面には洗浄水流出口５１ｈが設けられる。前方シリンダ５１Ａの略中間部側壁面にはばね受け５１ｅを設け、それよりも先端側に洗浄水供給室５１ｍを形成し、該洗浄水供給室５１ｍ内に洗浄水を供給するための洗浄水供給口５１ｋを設ける。なお、洗浄水供給室５１ｍには、給水供給部として洗浄水供給室５１ｍ内に突出するようキャップ状のダイヤフラム６１を配置する。このダイヤフラム６１には供給口５１ｋよりも小径な流入口６１aが設けられる。また、ダイヤフラム６１は、ノズル装置５０のシリンダ５１と洗浄水供給口形成部材５１ｘとの間に周縁部を挟み込まれるようにして保持され、給水圧により弾性変形部６１ｃが変形して、給水時にはダイヤフラム長が伸びて洗浄ノズル５３に水密状に接触し、非給水時（止水時）にはダイヤフラム長は元の状態に復帰して洗浄ノズル５３から離間する。
洗浄ノズル５３には、洗浄水供給口５３ｋ（５３ｌ）を側周面に、噴出口５３ｈ（５３ｊ）をノズル先端に設け、この噴出口５３ｈ（５３ｊ）と洗浄水供給口５３ｋ（５３ｌ）とを連絡する洗浄水流路５３ｆ（５３ｇ）を設けている。
【００４０】
次に第２実施形態の動作を説明する。洗浄水供給用電磁弁（図示無）を開放し、洗浄水供給口５５aからシリンダ５１内に洗浄水を供給すると洗浄ノズル後端に形成した受圧面５３Ａが水圧を受け、ノズル５３が前方に進出する。ノズル５３の受圧面５３Ａが段部５１ｃに当接すると同時に洗浄水流出口５１ｈが開放し、洗浄水が流量調整弁７０Ａを介して洗浄水供給口５１ｋに供給される。この時、ダイヤフラム６１は水圧を受け、弾性変形部６１ｃが変形してダイヤフラム６１の先端がノズル５３に水密状に押し付けられる。従って、洗浄水供給口５１ｋに供給された水は流入口６１aを通ってノズル５３に設けた洗浄水供給口５３ｋ（５３ｌ）内に供給され、噴出口５３ｈ（５３ｊ）から局部に向けて洗浄水が供給される。
【００４１】
この形態においても、ダイヤフラム６１は、給水時にのみ洗浄ノズル５３に接触し、非給水時である洗浄ノズル５３の進退動作の際にはダイヤフラム６１は洗浄ノズル５３とは非接触であるため、洗浄ノズル５３への給水機構部は洗浄ノズル５３の進退動作に抵抗を与えずに、且つ洗浄ノズル５３への給水からの水漏れを防ぐことができる。
【００４２】
次に、本発明の給水機構の変形実施例を図２９に基づき簡単に説明する。
（ａ）の変形例は、弾性変形部６１ｃより内周側が球面状とされ、その中心付近に洗浄水噴出口（給水ポート）６１ａを開口させた給水供給部としている。この給水供給部が給水圧を受けると、図の実線状態から点線状態に変形して、洗浄水噴出口６１ａが給水対象物に水密状に接触する。
（ｂ）の変形例は、給水供給部の洗浄水噴出口６１ａまわりにリブ６１ｇを形成し、給水供給部が水圧を受けると、弾性変形部６１ｃが変形して給水供給部が伸びて給水供給部の先端のリブ６１ｇが給水対象物に水密状に当接する。
これ以外にも、本発明の給水機構として、給水供給部が水圧を受けたときに、その洗浄水噴出口（給水ポート）６１ａ若しくは洗浄水噴出口６１ａの近傍が給水対象物に接触し、非給水時（止水時）に離れる構造を採用することができる。なお、これらの給水機構の変形例も、前述した局部洗浄装置の給水機構として用いることができるものである。
【図面の簡単な説明】
【図１】  本発明の局部洗浄装置１の外観斜視図である。
【図２】  内部機器の収納状態を示すために装置本体１０の上ケース１０ａを取り除いた状態での斜視図
【図３】  図２から操作部及びコントローラを取り外した状態での斜視
【図４】  図２からケースプレートを消去した状態での底側から見た斜視図
【図５】  図４とは別角度から見たケースプレートを消去した状態での部分斜視図
【図６】  図３からミキシングユニット及びバルブユニットを取り外した状態での斜視図
【図７】  ノズル装置５０の外観斜視図
【図８】  ノズル装置５０の分解斜視図
【図９】  操作用シリンダ５１の斜視図
【図１０】  操作用シリンダ５１の断面図
【図１１】  操作用シリンダ５１の側面図
【図１２】  ピストン５２の斜視図
【図１３】  洗浄ノズル５３の分解斜視図
【図１４】  ノズル本体５３ａの斜視図
【図１５】  シールパッキン６０の図で、（ａ）は平面図、（ｂ）は正面図、（ｃ）は底面図、（ｄ）は（ａ）の中央横断面図
【図１６】  シールパッキン６０の斜視図
【図１７】  ダイヤフラム６１と洗浄ノズル５３の接続状態を示す図
【図１８】  切換弁兼流量調整弁７０の外観斜視図
【図１９】  切換弁兼流量調整弁７０の分解斜視図
【図２０】  切換弁兼流量調整弁７０の概略断面図で、（ａ）はお尻洗浄時（流量最大）の概略断面図、（ｂ）はビデ洗浄時の概略断面図
【図２１】  （ａ）切換弁兼流量調整弁７０の側面図、（ｂ）弁体７５のお尻洗浄時に外筒体７１の各孔と整合する溝側からみた側面図、（ｃ）弁体７５のビデ洗浄時に外筒体７１の各孔と整合する溝側からみた側面図
【図２２】  流路切換兼流量調整摘み２５から切換弁兼流量調整弁７０への動力伝達を説明するための斜視図
【図２３】  流路切換兼流量調整摘み２５の取付を説明するための斜視図
【図２４】  操作部２０の外観図
【図２５】  非洗浄時のノズル装置５０の状態を示す断面図
【図２６】  おしり洗浄時のノズル装置５０の状態を示す断面図
【図２７】  ビデ洗浄時のノズル装置５０の状態を示す断面図
【図２８】  本発明の別の実施形態におけるノズル装置５０の側断面図
【図２９】  給水ポートの別の実施例を示す図
【符号の説明】
１…局部洗浄装置
５３…洗浄ノズル（給水対象物）
５３ｋ…お尻洗浄水連絡口（給水孔）
５３ｌ…ビデ洗浄水連絡口（給水孔）
６１…ダイヤフラム（給水供給部・伸縮部材）
６１ａ…流入口（給水ポート）
６１ｅ…流体流路
【図１】
0004052417.tif 000002
【図２】
0004052417.tif 000003
【図３】
0004052417.tif 000004
【図４】
0004052417.tif 000005
【図５】
0004052417.tif 000006
【図６】
0004052417.tif 000007
【図７】
0004052417.tif 000008
【図８】
0004052417.tif 000009
【図９】
0004052417.tif 000010
【図１０】
0004052417.tif 000011
【図１１】
0004052417.tif 000012
【図１２】
0004052417.tif 000013
【図１３】
0004052417.tif 000014
【図１４】
0004052417.tif 000015
【図１５】
0004052417.tif 000016
【図１６】
0004052417.tif 000017
【図１７】
0004052417.tif 000018
【図１８】
0004052417.tif 000019
【図１９】
0004052417.tif 000020
【図２０】
0004052417.tif 000021
【図２１】
0004052417.tif 000022
【図２２】
0004052417.tif 000023
【図２３】
0004052417.tif 000024
【図２４】
0004052417.tif 000025
【図２５】
0004052417.tif 000026
【図２６】
0004052417.tif 000027
【図２７】
0004052417.tif 000028
【図２８】
0004052417.tif 000029
【図２９】
0004052417.tif 000030